(57)【要約】【課題】コストや実装面積を増加させることなく、かつ、無線特性への影響を抑制しながらも、ＣＰＵとメモリ間で安定したデータ伝送を行う。【解決手段】制御部１０と、制御部１０の制御によって情報の書き込み／読み出しが行われる記憶部２０と、無線による情報の送受信を行う無線部３０とを有し、制御部１０が、記憶部２０に対して情報の書き込み／読み出しを行うためのメモリＩ／Ｆ部１３を有する携帯電話機において、制御部１０は、無線部３０における通信状態が予め決められた変更条件に合致するかどうかを検出する無線状態検出部１４と、無線状態検出部１４にて、無線部３０における通信状態が予め決められた変更条件に合致していることが検出された場合、メモリＩ／Ｆ部１３のドライブ能力を高めるドライブ能力変更部１５とを有する。【選択図】図１
2012169995.tif 000002
【特許請求の範囲】
【請求項１】
制御部と、前記制御部の制御によって情報の書き込み／読み出しが行われる記憶部と、無線による情報の送受信を行う無線部とを有し、前記制御部が、前記記憶部に対して情報の書き込み／読み出しを行うためのインタフェース部を有する携帯電話機において、
前記制御部は、前記携帯電話機の動作に、予め決められた閾値を超える電力が用いられているかどうかを検出する状態検出部と、
前記状態検出部にて、前記携帯電話機の動作に前記閾値を超える電力が用いられていることが検出された場合、前記インタフェース部のドライブ能力を高めるドライブ能力変更部とを有することを特徴とする携帯電話機。
【請求項２】
請求項１に記載の携帯電話機において、
前記状態検出部は、前記無線部における通信状態が、予め決められた変更条件に合致するかどうかを検出することによって、前記携帯電話機の動作に前記閾値を超える電力が用いられているかどうかを検出し、
前記ドライブ能力変更部は、前記状態検出部にて、前記無線部における通信状態が前記変更条件に合致していることが検出された場合、前記インタフェース部のドライブ能力を高める携帯電話機。
【請求項３】
請求項２に記載の携帯電話機において、
前記状態検出部は、前記無線部における無線送信電力が予め決められた規定電力を超えているかどうかを検出し、
前記ドライブ能力変更部は、前記状態検出部にて、前記無線部における無線送信電力が前記規定電力を超えていることが検出された場合、前記インタフェース部のドライブ能力を高める携帯電話機。
【請求項４】
請求項２に記載の携帯電話機において、
前記状態検出部は、前記無線部における無線通信方式が予め決められた通信方式であるかどうかを検出し、
前記ドライブ能力変更部は、前記状態検出部にて、前記無線部における無線通信方式が前記予め決められた通信方式であることが検出された場合、前記インタフェース部のドライブ能力を高める携帯電話機。
【請求項５】
請求項１に記載の携帯電話機において、
カメラ部を有し、
前記状態検出部は、前記カメラ部における撮影状態が、予め決められた変更条件に合致するかどうかを検出することによって、前記携帯電話機の動作に前記閾値を超える電力が用いられているかどうかを検出し、
前記ドライブ能力変更部は、前記状態検出部にて、前記カメラ部における撮影状態が前記変更条件に合致していることが検出された場合、前記インタフェース部のドライブ能力を高める携帯電話機。
【請求項６】
制御部と、前記制御部の制御によって情報の書き込み／読み出しが行われる記憶部と、無線による情報の送受信を行う無線部とを有し、前記制御部が、前記記憶部に対して情報の書き込み／読み出しを行うためのインタフェース部を有する携帯電話機の制御方法であって、
前記制御部が、前記携帯電話機の動作に、予め決められた閾値を超える電力が用いられているかどうかを検出するステップと、
前記制御部が、前記携帯電話機の動作に前記閾値を超える電力が用いられていることが検出された場合、前記インタフェース部のドライブ能力を高めるステップとを有する制御方法。
【請求項７】
制御部と、前記制御部の制御によって情報の書き込み／読み出しが行われる記憶部と、無線による情報の送受信を行う無線部とを有し、前記制御部が、前記記憶部に対して情報の書き込み／読み出しを行うためのインタフェース部を有する携帯電話機を制御するためのプログラムであって、
コンピュータに、
前記携帯電話機の動作に、予め決められた閾値を超える電力が用いられているかどうかを検出する手順と、
前記携帯電話機の動作に前記閾値を超える電力が用いられていることが検出された場合、前記インタフェース部のドライブ能力を高める手順とを実行させるためのプログラム。
【発明の詳細な説明】
【技術分野】
【０００１】
本発明は、携帯電話機、その制御方法及びプログラムに関し、特に、ＣＰＵとメモリ間で安定したデータ伝送を行うための技術に関する。
【背景技術】
【０００２】
携帯電話機の小型化、薄型化に伴い、電気部品が搭載されるプリント基板も小型化、薄型化されている。こうしたプリント基板の小型化、薄型化のために、電源、ＧＮＤ、信号のパターン設計や部品配置に対する制約が多くなる傾向がある。これらの制約により、携帯電話機の各デバイス間のインタフェース信号のノイズ耐性を確保することは重要な課題となっている。
【０００３】
一般的に、信号のノイズ耐性を向上させる手段としては、ダンパー抵抗やノイズ吸収用のキャパシタ追加等の対策部品追加による方法が考えられるが、高速動作が要求されるメモリインタフェースや、実装面積の制約がある携帯電話機においては、これらの対策部品による方法を制約なしで使用することは困難である。
【０００４】
その他にノイズ耐性を向上させる方法としては、出力信号のドライブ能力を高めることが考えられる。しかし、ドライブ能力を高めた場合には、信号の立ち上がり／立下りが急峻となり高調波成分が増加することにより、携帯電話機の無線特性への影響が大きくなると考えられ、必要以上にドライブ能力を高めることは好ましくない。
【０００５】
ここで、カメラ部による撮影機能を有する携帯電話機において、制御部とカメラ部との間でインタフェース信号を送受信するカメラインタフェースのバッファ能力を、携帯電話機の状態に応じて変更することにより、無線特性の劣化の抑制とカメラインタフェース信号のノイズ耐性の向上とを両立させる技術が、特許文献１に開示されている。
【先行技術文献】
【特許文献】
【０００６】
【特許文献１】特開２００９−１４７４４９号公報
【発明の概要】
【発明が解決しようとする課題】
【０００７】
上述したような携帯電話機におけるノイズ混入の問題においては、特に、ＣＰＵとメモリ間のメモリインタフェース信号へのノイズ混入による誤動作は、携帯電話機の意図しないリセットやフリーズといった現象に直結してしまい、メモリインタフェース信号の実装設計及び検証には十分な注意が必要となる。また、携帯電話機においては、無線送信波の電力が大きくなると、携帯電話機内のメモリインタフェースへの信号への干渉も大きくなりデータ伝送への影響が出る虞れがある。
【０００８】
本発明は、上述したような技術が有する問題点に鑑みてなされたものであって、コストや実装面積を増加させることなく、かつ、無線特性への影響を抑制しながらも、ＣＰＵとメモリ間で安定したデータ伝送を行うことができる携帯電話機、その制御方法及びプログラムを提供することを目的とする。
【課題を解決するための手段】
【０００９】
上記目的を達成するために本発明は、
制御部と、前記制御部の制御によって情報の書き込み／読み出しが行われる記憶部と、無線による情報の送受信を行う無線部とを有し、前記制御部が、前記記憶部に対して情報の書き込み／読み出しを行うためのインタフェース部を有する携帯電話機において、
前記制御部は、前記携帯電話機の動作に、予め決められた閾値を超える電力が用いられているかどうかを検出する状態検出部と、
前記状態検出部にて、前記携帯電話機の動作に前記閾値を超える電力が用いられていることが検出された場合、前記インタフェース部のドライブ能力を高めるドライブ能力変更部とを有することを特徴とする。
【００１０】
また、制御部と、前記制御部の制御によって情報の書き込み／読み出しが行われる記憶部と、無線による情報の送受信を行う無線部とを有し、前記制御部が、前記記憶部に対して情報の書き込み／読み出しを行うためのインタフェース部を有する携帯電話機の制御方法であって、
前記制御部が、前記携帯電話機の動作に、予め決められた閾値を超える電力が用いられているかどうかを検出するステップと、
前記制御部が、前記携帯電話機の動作に前記閾値を超える電力が用いられていることが検出された場合、前記インタフェース部のドライブ能力を高めるステップとを有する。
【００１１】
また、制御部と、前記制御部の制御によって情報の書き込み／読み出しが行われる記憶部と、無線による情報の送受信を行う無線部とを有し、前記制御部が、前記記憶部に対して情報の書き込み／読み出しを行うためのインタフェース部を有する携帯電話機を制御するためのプログラムであって、
コンピュータに、
前記携帯電話機の動作に、予め決められた閾値を超える電力が用いられているかどうかを検出する手順と、
前記携帯電話機の動作に前記閾値を超える電力が用いられていることが検出された場合、前記インタフェース部のドライブ能力を高める手順とを実行させる。
【発明の効果】
【００１２】
以上説明したように本発明においては、携帯電話機の動作に予め決められた閾値を超える電力が用いられているという、メモリインタフェース信号へのノイズの影響が懸念される場合に、記憶部に対して情報の書き込み／読み出しを行うためのインタフェース部のドライブ能力を高める構成としたため、無線特性への影響を抑制しながらもＣＰＵとメモリ間で安定したデータ伝送を行うことができるとともに、ノイズ対策部品追加により対策するものと比較してコストや実装面積の削減が可能となる。
【図面の簡単な説明】
【００１３】
【図１】本発明の携帯電話機の実施の一形態を示すブロック図である。
【図２】図１に示した携帯電話機の制御方法の一例を説明するためのフローチャートである。
【図３】図１に示した携帯電話機の制御方法の他の例を説明するためのフローチャートである。
【図４】本発明の携帯電話機の他の実施の形態を示すブロック図である。
【図５】図４に示した携帯電話機の制御方法を説明するためのフローチャートである。
【発明を実施するための形態】
【００１４】
以下に、本発明の実施の形態について図面を参照して説明する。
【００１５】
図１は、本発明の携帯電話機の実施の一形態を示すブロック図である。
【００１６】
本形態は図１に示すように、制御部１０と、制御部１０の制御によって情報の書き込み／読み出しが行われる記憶部２０と、無線による情報の送受信を行う無線部３０とを有し、その他に、キーパッドやタッチパネル等で構成される操作部（不図示）や、各種情報の表示を行うＬＣＤ等で構成される表示部（不図示）等が設けられている。
【００１７】
制御部１０は、携帯電話機の動作を司るＣＰＵ１１と、周辺回路１２とから構成され、周辺回路１２には、メモリＩ／Ｆ部１３と無線状態検出部１４とドライブ能力変更部１５とが設けられている。メモリＩ／Ｆ部１３は、記憶部２０に対して情報の書き込み／読み出しを行うためのインタフェース部である。無線状態検出部１４は、無線部３０における通信状態が予め決められた変更条件に合致するかどうかを検出するものである。また、ドライブ能力変更部１５は、無線状態検出部１４において、無線部３０における通信状態が予め決められた変更条件に合致していることが検出された場合、メモリＩ／Ｆ部１３のドライブ能力を、その能力が高まるように変更するものである。
【００１８】
記憶部２０は、主に動作プログラムの格納や各種データ保存に用いられるＲＯＭ２１と、プログラムの一時的なワークエリア等として使用されるＲＡＭ２２とを有している。
【００１９】
無線部３０は、無線信号を受信する受信部３１と、無線信号を送信する送信部３２と、受信部３１にて受信されたデータを復号化したり、送信部３２にて送信すべきデータを符号化したりする無線制御部３３とを有し、ＣＤＭＡ通信方式で採用されている基地局（不図示）からの指示に応じて、送信部３２における送信電力を制御する（パワーコントロール）機能を有する。
【００２０】
上記のように構成された携帯電話機においては、制御部１０の制御によって、基地局を介して送信されてきたデータを受信部３１にて受信したり、送信部３２を介してデータを送信したりすることにより、無線部３０を用いて情報の送受信が行われる。また、制御部１０の制御によって、記憶部２０との間にて、アドレス、データ、その他の制御信号がやりとりされ、それにより、記憶２０に対して情報の書き込みや読み出しが行われる。この際、ドライブ能力変更部１５の制御によって、制御部１０や記憶部２０からの出力信号のドライブ能力を段階的に変更することができる。
【００２１】
以下に、上述した携帯電話機の制御方法について説明する。
【００２２】
図２は、図１に示した携帯電話機の制御方法の一例を説明するためのフローチャートである。
【００２３】
制御部１０の制御によって無線部３０にて無線通信が開始されると（ステップＳ１１）、無線状態検出部１４において、無線部３０における通信状態が、予め決められたメモリＩ／Ｆ部１３のドライブ能力の変更条件に合致するかどうかが検出される（ステップＳ１２）。なお、本例においては、送信部３２における無線送信電力が、予め決められた閾値となる規定電力を超えているかどうかが検出されることになる。また、初期状態においては、メモリＩ／Ｆ部１３のドライブ能力は、無線部３０における無線特性に影響が及ばない程度のものとなっている。
【００２４】
無線状態検出部１４において、送信部３２における無線送信電力が、予め決められた規定電力を超えていることが検出された場合は、ドライブ能力変更部１５において、メモリＩ／Ｆ部１３のドライブ能力が、その能力が高まるように変更される（ステップＳ１３）。そして、メモリＩ／Ｆ部１３のドライブ能力が高められた状態において記憶部２０に対する情報の書き込みや読み出しが行われることになる。
【００２５】
このように、携帯電話機における無線送信電力が大きな場合に、メモリＩ／Ｆ部１３のドライブ能力が高まることにより、ＣＰＵ１１と記憶部２０間のデータ伝送が、無線送信波の干渉を受けにくくなる。これにより、携帯電話機における無線送信電力が大きな場合であっても、ＣＰＵ１１と記憶部２０間のデータ伝送が安定して行われることになる。
【００２６】
また、無線状態検出部１４において、送信部３２における無線送信電力が、予め決められた規定電力を超えていることが検出されなかった場合は、メモリＩ／Ｆ部１３のドライブ能力が初期状態のまま変更されない。
【００２７】
その後、制御部１０において、無線部３０にて無線通信が継続して行われているかどうかが確認され（ステップＳ１４）、無線部３０における無線通信が終了した場合は、ドライブ能力変更部１５において、メモリＩ／Ｆ部１３のドライブ能力が初期状態に戻される（ステップＳ１５）。
【００２８】
また、無線部３０にて無線通信が継続して行われている場合は、ステップＳ１２における処理に戻り、無線状態検出部１４において、送信部３２における無線送信電力が、予め決められた規定電力を超えているかどうかが検出される。
【００２９】
上記のように本例においては、携帯電話機における無線送信電力が、予め決められた規定電力以下の場合は、メモリＩ／Ｆ部１３のドライブ能力が、無線部３０における無線特性に影響が及ばない程度のものとなっており、携帯電話機における無線送信電力が、予め決められた規定電力を超えた場合のみ、メモリＩ／Ｆ部１３のドライブ能力が高まることにより、無線特性への影響を抑制しながらもＣＰＵ１１と記憶部２０間で安定したデータ伝送を行うことができるようになる。
【００３０】
ここで、ＣＤＭＡ／ＧＳＭ／ＰＤＣ等の複数の無線通信方式を採用する携帯電話機においては、上述したような無線送信電力に加え、通信方式や送信周波数帯をメモリインタフェースのドライブ能力の変更条件として設定することも考えられる。例えば、大電力でのバースト通信を行うＧＳＭ通信開始を変更条件とすることや、無線送信による干渉ノイズが特定の周波数帯に依存する場合には使用周波数帯を変更条件にすること等が考えられる。
【００３１】
図３は、図１に示した携帯電話機の制御方法の他の例を説明するためのフローチャートである。
【００３２】
まず、無線状態検出部１４において、無線部３０にて開始しようとしている無線通信方式が、予め決められた通信方式となるＧＳＭ通信方式等のように、予め決められた閾値を超える大電力を用いるものであるかどうかが検出される（ステップＳ２１）。なお、本例においても、初期状態においては、メモリＩ／Ｆ部１３のドライブ能力は、無線部３０における無線特性に影響が及ばない程度のものとなっている。
【００３３】
無線状態検出部１４において、無線部３０にて開始しようとしている無線通信方式が、予め決められた通信方式であることが検出された場合は、ドライブ能力変更部１５において、メモリＩ／Ｆ部１３のドライブ能力が、その能力が高まるように変更される（ステップＳ２２）。そして、メモリＩ／Ｆ部１３のドライブ能力が高められた状態において、無線部３０にて情報の送受信が行われるとともに、記憶部２０に対する情報の書き込みや読み出しが行われることになる（ステップＳ２３）。
【００３４】
このように、携帯電話機にて開始しようとしている無線通信方式が、ＧＳＭ通信方式等の大電力を用いるものである場合に、メモリＩ／Ｆ部１３のドライブ能力が高まることにより、ＣＰＵ１１と記憶部２０間のデータ伝送が、無線送信波の干渉を受けにくくなる。これにより、携帯電話機にて開始しようとしている無線通信方式が、ＧＳＭ通信方式等の大電力を用いるものであっても、ＣＰＵ１１と記憶部２０間のデータ伝送が安定して行われることになる。
【００３５】
また、無線状態検出部１４において、無線部３０にて開始しようとしている無線通信方式が、予め決められた通信方式であることが検出されなかった場合は、メモリＩ／Ｆ部１３のドライブ能力が初期状態のまま変更されない。
【００３６】
その後、制御部１０において、無線部３０にて無線通信が継続して行われているかどうかが確認され（ステップＳ２４）、無線部３０における無線通信が終了した場合は、ドライブ能力変更部１５において、メモリＩ／Ｆ部１３のドライブ能力が初期状態に戻される（ステップＳ２５）。
【００３７】
また、無線部３０にて無線通信が継続して行われている場合は、ステップＳ２４における処理が繰り返し行われることになる。
【００３８】
上記のように本例においては、携帯電話機にて開始しようとしている無線通信方式が、ＧＳＭ通信方式等の大電力を用いるものではない場合は、メモリＩ／Ｆ部１３のドライブ能力が、無線部３０における無線特性に影響が及ばない程度のものとなっており、携帯電話機にて開始しようとしている無線通信方式が、ＧＳＭ通信方式等の大電力を用いるものである場合のみ、メモリＩ／Ｆ部１３のドライブ能力が高まることにより、無線特性への影響を抑制しながらもＣＰＵ１１と記憶部２０間で安定したデータ伝送を行うことができるようになる。
【００３９】
（他の実施の形態）
図４は、本発明の携帯電話機の他の実施の形態を示すブロック図である。
【００４０】
本形態は図４に示すように、図１に示したものに対して、画像を撮影するカメラ部４０を有するとともに、制御部１１０において無線状態検出部１４の代わりに、撮影状態検出部１１４が設けられている点が異なるものである。
【００４１】
カメラ部４０は、画像を撮影するものであり、オートフォーカス機能やストロボ機能のように、予め決められた閾値を超える大電力を必要とするモードを有している。
【００４２】
撮影状態検出部１１４は、カメラ部４０の撮影状態が予め決められた変更条件に合致するかどうかを検出するものであり、カメラ部４０において、オートフォーカス機能やストロボ機能のように、カメラ部４０が有するモードのうち大電力を必要とする動作が実行されるかどうかを検出する。
【００４３】
以下に、上述した携帯電話機の制御方法について説明する。
【００４４】
図５は、図４に示した携帯電話機の制御方法を説明するためのフローチャートである。
【００４５】
制御部１１０の制御によってカメラ部４０が起動すると（ステップＳ３１）、撮影状態検出部１１４において、オートフォーカス機能やストロボ機能のように、カメラ部４０が有するモードのうち大電力を必要とする動作を実行させるための指示が制御部１１０からカメラ部４０に出されているかどうかが検出される（ステップＳ３２）。なお、初期状態においては、メモリＩ／Ｆ部１３のドライブ能力は、無線部３０における無線特性に影響が及ばない程度のものとなっている。
【００４６】
撮影状態検出部１１４において、オートフォーカス機能やストロボ機能のように、カメラ部４０が有するモードのうち大電力を必要とする動作を実行させるための指示が制御部１１０からカメラ部４０に出されていることが検出された場合は、ドライブ能力変更部１５において、メモリＩ／Ｆ部１３のドライブ能力が、その能力が高まるように変更される（ステップＳ３３）。
【００４７】
そして、この状態において、カメラ部４０にてオートフォーカス機能やストロボ機能のような大電力を必要とする動作が実行される（ステップＳ３４）。また、メモリＩ／Ｆ部１３のドライブ能力が高められた状態において記憶部２０に対する情報の書き込みや読み出しが行われることになる。
【００４８】
このように、カメラ部４０においてオートフォーカス機能やストロボ機能のような大電力を必要とする動作が実行されている場合に、メモリＩ／Ｆ部１３のドライブ能力が高まることにより、ＣＰＵ１１と記憶部２０間のデータ伝送が、オートフォーカス機能やストロボ機能のような大電力を必要とする動作が実行されることにより発生するノイズの干渉を受けにくくなる。これにより、カメラ部４０においてオートフォーカス機能やストロボ機能のような大電力を必要とする動作が実行されている場合であっても、ＣＰＵ１１と記憶部２０間のデータ伝送が安定して行われることになる。
【００４９】
また、撮影状態検出部１１４において、カメラ部４０が有するモードのうち大電力を必要とする動作を実行させるための指示が制御部１１０からカメラ部４０に出されていることが検出されなかった場合は、メモリＩ／Ｆ部１３のドライブ能力が初期状態のまま変更されない。
【００５０】
その後、カメラ部４０にて上述したようなオートフォーカス機能やストロボ機能の実行が終了すると、ドライブ能力変更部１５において、メモリＩ／Ｆ部１３のドライブ能力が初期状態に戻される（ステップＳ３５）。
【００５１】
そして、制御部１１０において、カメラ部４０にて撮影動作が継続して行われているかどうかが確認され（ステップＳ３６）、カメラ部４０における撮影動作が終了した場合は、制御部１１０におけるカメラ部４０の制御が終了する（ステップＳ３７）。
【００５２】
また、カメラ部４０にて撮影動作が継続して行われている場合は、ステップＳ３２における処理に戻り、カメラ部４０が有するモードのうち大電力を必要とする動作を実行させるための指示が制御部１１０からカメラ部４０に出されているかどうかが検出される。
【００５３】
上記のように本形態においては、カメラ部４０が起動していない、またはカメラ部４０が起動した場合でもカメラ部４０に大電力を必要とする動作を実行させるための指示が制御部１１０から出されていない場合は、メモリＩ／Ｆ部１３のドライブ能力が、無線部３０における無線特性に影響が及ばない程度のものとなっており、カメラ部４０が起動し、カメラ部４０に大電力を必要とする動作を実行させるための指示が制御部１１０から出されている場合のみ、メモリＩ／Ｆ部１３のドライブ能力が高まることにより、無線特性への影響を抑制しながらもＣＰＵ１１と記憶部２０間で安定したデータ伝送を行うことができるようになる。
【００５４】
なお、本発明においては、携帯電話機内の処理は上述の専用のハードウェアにより実現されるもの以外に、その機能を実現するためのプログラムを携帯電話機にて読取可能な記録媒体に記録し、この記録媒体に記録されたプログラムを携帯電話機に読み込ませ、実行するものであっても良い。携帯電話機にて読取可能な記録媒体とは、ＩＣカードやメモリカード、あるいは、フロッピーディスク（登録商標）、光磁気ディスク、ＤＶＤ、ＣＤ等の移設可能な記録媒体の他、携帯電話機に内蔵されたＨＤＤ等を指す。この記録媒体に記録されたプログラムは、例えば、制御ブロックにて読み込まれ、制御ブロックの制御によって、上述したものと同様の処理が行われる。
【符号の説明】
【００５５】
１０，１１０    制御部
１１    ＣＰＵ
１２，１１２    周辺回路
１３    メモリＩ／Ｆ部
１４    無線状態検出部
１５    ドライブ能力変更部
２０    記憶部
２１    ＲＯＭ
２２    ＲＡＭ
３０    無線部
３１    受信部
３２    送信部
３３    無線制御部
４０    カメラ部
１１４    撮影状態検出部
【図１】
2012169995.tif 000003
【図２】
2012169995.tif 000004
【図３】
2012169995.tif 000005
【図４】
2012169995.tif 000006
【図５】
2012169995.tif 000007